(57)【要約】【課題】冷蔵庫の食品載置用棚を板状棚にした場合、その棚が一枚の板の場合や前後の棚板で構成したものでは、前者の棚や後者の前棚が汁等によって汚れて洗浄する場合には、この棚に載置した食品を他の棚へ移し替えるか一旦冷蔵庫の外に取り出す必要が生じる。本発明はこのような点に鑑み、板状棚が汁等によって汚れたとき等の場合にも、載置した食品を他の棚へ移し替えることなく、その板状棚を取外して洗浄できるような棚装置を提供するものである。【解決手段】棚装置を板状棚とこの板状棚に載置される網棚で構成し、板状棚は横方向に長い後棚と前棚とで構成し、後棚と前棚の上面には前後方向の同一線上に延びた上面開口の網棚支持溝の複数が平行状態に形成され、網棚は後棚と前棚の網棚支持溝に渡って収納される略平行配列の複数の縦線材を備え、網棚に食品を載置した状態で後棚を着脱自在に組み合わせたこと。【選択図】      図２
2004211952.tif 000002
【特許請求の範囲】
【請求項１】
貯蔵庫本体内に前面開口の貯蔵室が形成され、前記貯蔵室には食品載置用の棚装置が設けられ、前記貯蔵室の前面開口が断熱扉にて開閉可能な貯蔵庫において、前記棚装置は、板状棚とこの板状棚に載置される網棚とから構成され、前記板状棚は、前記貯蔵室の奥に横方向に長く設けた後棚と、この後棚の前側に設けた前棚とを備え、前記後棚と前棚の上面には前後同一線上に延びた上面開口の網棚支持溝の複数が平行状態に形成され、前記網棚はそれぞれ前記後棚と前棚の網棚支持溝に渡って収納される略平行状態に配列された複数の縦線材を備え、前記網棚にて食品を支持した状態で前記前棚が着脱自在であることを特徴とする貯蔵庫の棚装置。
【請求項２】
前記縦線材は、前記後棚と前棚の上面よりも突出しない状態で前記網棚支持溝に収納され、前記網棚が前記板状棚に対して前方へスライドにて取り外し可能であることを特徴とする請求項１に記載の貯蔵庫の棚装置。
【請求項３】
前記前棚は、前記後棚の上面と略同一平面を形成するように前記貯蔵室の左右側壁に設けたレール部に載置され、前記網棚の前端部を持ち上げた食品載置状態で前記レール部上をスライドして前方へ取り外し可能としたことを特徴とする請求項１または２に記載の貯蔵庫の棚装置。
【発明の詳細な説明】
【０００１】
【発明の属する技術分野】
本発明は、冷蔵庫等の貯蔵室に設けた食品載置用の棚装置に関する。
【０００２】
【従来の技術】
冷蔵庫等の貯蔵庫本体内に前面開口の貯蔵室が形成され、前記貯蔵室の前面開口が断熱扉にて開閉可能であり、前記貯蔵室には食品載置用の棚装置が設けられた貯蔵庫において、食品載置用の棚を網棚で構成していたものでは食品の載置状態が不安定になる等の問題やデザイン性の向上も含めて、最近では板状の棚が採用されている。この板状の棚も下段の棚に背の高い食品を載置する場合には上段の棚が邪魔になるため、このような場合の使用性向上のために板状棚を前棚と後棚とで構成し、後棚に対して前棚を前後方向にスライド可能に構成して食品載置の棚面積を可変にしたものがある（例えば、特許文献１参照）。
【０００３】
【特許文献１】
特開平１０−３３９５６８号公報（第１〜６頁、図６〜１０）
【０００４】
【発明が解決しようとする課題】
板状棚が採用されたものでは、その棚の一つが汁等によって汚れたとき等において、この棚を洗浄する場合には、その棚に載置した食品を他の棚へ移し替える必要がある。しかし、他の棚も載置した食品でいっぱいの場合には、棚を洗浄する間は移し替える食品を一旦冷蔵庫の外に食品を取り出しておく必要が生じ、食品の保存上からすれば好ましいものではない。また、特許文献１のものは、板状棚の場合の使用性の向上が図れるが、前棚を後方へスライドさせて食品載置棚面積を変更する場合や、その前棚が汁等によって汚れたときに前棚を取外して洗浄する場合等には、前棚に載置した食品を他の棚へ移し替える必要がある。この場合も、他の棚も載置した食品でいっぱいの場合には、前棚を洗浄する間は移し替える食品を一旦冷蔵庫の外に食品を取り出しておく必要が生じ、食品の保存上からすれば好ましいものではない。
【０００５】
本発明はこのような点に鑑み、板状棚を採用した構成において、その板状棚が汁等によって汚れたとき等の場合にも、載置した食品を他の棚へ移し替えることなく、その板状棚を取外して洗浄できるような棚装置を提供するものである。
【０００６】
【課題を解決するための手段】
本発明の貯蔵庫の棚装置は、貯蔵庫本体内に前面開口の貯蔵室が形成され、前記貯蔵室には食品載置用の棚装置が設けられ、前記貯蔵室の前面開口が断熱扉にて開閉可能な貯蔵庫において、前記棚装置は、板状棚とこの板状棚に載置される網棚とから構成され、前記板状棚は、前記貯蔵室の奥に横方向に長く設けた後棚と、この後棚の前側に設けた前棚とを備え、前記後棚と前棚の上面には前後同一線上に延びた上面開口の網棚支持溝の複数が平行状態に形成され、前記網棚はそれぞれ前記後棚と前棚の網棚支持溝に渡って収納される略平行状態に配列された複数の縦線材を備え、前記網棚にて食品を載置した状態で前記前棚が着脱自在であることを特徴とする。
【０００７】
これによって、前棚に食品が載置されないように網棚で食品を載置した状態において、前棚に載置された食品を他の棚へ移動させることもなく、また他の棚が食品でいっぱいの場合にも前棚に載置された食品を冷蔵庫の外へ一旦持ち出す必要もなく、洗浄等のために前棚を取外すことが可能となる。
【０００８】
また、前記縦線材は、前記後棚と前棚の上面よりも突出しない状態で前記網棚支持溝に収納され、前記網棚が前記板状棚に対して前方へスライドにて取り外し可能であることを特徴とする
【０００９】
これによって、食品は網棚に載置するのではなく前記板状棚に載置した状態とすることができ、食品の安定載置が可能となる。また網棚は前記板状棚に対して前方へスライドにて取外すことができるため、前記板状棚に載置した食品を他の棚へ移動させることなく網棚の洗浄も簡単に行える。
【００１０】
また、前記前棚は、前記後棚の上面と略同一平面を形成するように前記貯蔵室の左右側壁に設けたレール部に載置され、前記網棚の前端部を持ち上げた食品載置状態で前記レール部上をスライドして前方へ取り外し可能としたことを特徴とする。
【００１１】
これによって、前棚に食品が載置されないように網棚の前端部を持ち上げて食品荷重を網棚で支えた載置状態とし、前棚はレール部上をスライドして前方へ引き出せるため、取り外し時に前棚が落下しない状態で安定的に作業が行える。
【００１２】
【発明の実施の形態】
次に、本発明を貯蔵庫の一種である冷蔵庫について説明する。各図は本発明の実施形態を示しており、図１は本発明に係る冷蔵庫の縦断側面図、図２は本発明の棚装置の分解斜視図、図３は本発明の棚装置の使用状態を示す斜視図、図４は図３のＡ−Ａ断面図、図５は本発明の棚装置の他の実施形態図である。
【００１３】
これらの図において、Ｒは貯蔵庫の一つである冷蔵庫であり、前面開口の本体２内を区画して複数の貯蔵室を形成し、これら各貯蔵室の前面は扉で開閉できる構成である。この冷蔵庫において、１は冷蔵庫本体であり、外箱（外壁板）３と内箱（内壁板）２との間に発泡断熱材４を充填した断熱構造である。冷蔵庫本体１内には、貯蔵室として上から冷蔵室５、野菜室６、冷凍室７が区画されて設けられ、冷蔵室５内には複数段に板状棚で構成した棚装置８が設けられている。冷蔵室５内の底部にはその上方の冷蔵室５と最下段の棚装置８にて区画された特定低温室９が設けられ、また冷凍室７は上冷凍室１０と下冷凍室１１に区分されている。
【００１４】
冷蔵室５の前面開口は、冷蔵庫本体１の一側部にヒンジ装置にて横方向に回動して開閉される回動式扉１２にて閉塞される。野菜室６の前面開口は、野菜室６内に設けた左右のレール又はローラ装置によって前後方向へ引き出し可能に支持した野菜容器１３と共に前方へ引き出される引き出し式扉１４にて閉塞されている。上冷凍室１０と下冷凍室１１はそれぞれ野菜室６と同様に、冷凍室内に設けた左右のレールに対してそれぞれ前後方向へ引き出し可能に支持した容器１５、１６と共に前方へ引き出される引き出し式扉１７、１８にて閉塞されている。
【００１５】
２０は冷凍システムの冷媒の圧縮機、２１は冷凍システムの冷媒の凝縮器、２２は凝縮器２１の熱にて後述の冷却器の除霜水を蒸発させる蒸発皿である。２３、２４は冷凍システムの冷媒の冷却器（蒸発器）であり、２３は冷凍室７用冷却器、２４は冷蔵室５、野菜室６及び特定低温室９用冷却器である。２５は第１冷気循環送風機、２６は第２冷気循環送風機である。冷却器２３で冷却した冷気は送風機２５によって、上冷凍室１０及び下冷凍室１１を経て冷却器２３へ帰還する循環をする。また冷却器２４で冷却した冷気は送風機２６によって、冷蔵室５、特定低温室９及び野菜室６を経て冷却器２４へ帰還する循環をする。このような冷気循環経路は図１に矢印で示す。特定低温室９は、前後方向へ引き出し可能に支持した容器２７が設けられ、０℃前後で食品が凍結しない程度の低温に冷却されるものである。
【００１６】
本発明の冷蔵庫本体１内の冷蔵室５に設けた棚装置８の一つまたは複数は、板状棚３０とこの板状棚３０に載置される網棚３１とから構成されている。板状棚３０は、冷蔵室５の奥に略冷蔵室５の横幅いっぱいに渡るように横方向に長く設けた後棚３２と、この後棚３２の前側に設けた前棚３３とを備える。後棚３２と前棚３３は、単なる平板状でもよく、また載置する食品が落ちないように浅い皿状を呈するものでよく、総じて平板状を呈するものが使用し易い。
【００１７】
後棚３２と前棚３３の上面には前後同一線上に延びた上面開口の網棚支持溝３４の複数が平行状態に形成されている。一方、網棚３１はそれぞれ後棚３２と前棚３３の網棚支持溝３４に渡って収納される略平行状態に配列された複数の縦線材３５を備え、各縦線材３５は、各縦線材３５の前端部に溶接等にて固定した横線材３６によって略平行状態に保持されている。後棚３２と前棚３３が冷蔵室５の左右側壁に設けたレール部３７に取り外し可能に載置されている。本発明では前棚３３が冷蔵室５から取り外し自在であればよく、後棚３２は冷蔵室５の奥に固定した状態でもよい。
【００１８】
この構成によって、後棚３２と前棚３３が実質的に連続するように配置され、好ましくは、後棚３２と前棚３３の上面が略同一平面を形成するのがよい。そして、後棚３２と前棚３３の各網棚支持溝３４は前後方向に一連の網棚支持溝３４を形成し、この各網棚支持溝３４に網棚３１の各縦線材３５が収納される。
【００１９】
また、縦線材３５は、後棚３２と前棚３３の上面よりも突出しない状態で網棚支持溝３４に収納されるために、網棚支持溝３４は縦線材３５の直径よりも若干深く上面開口状態に形成される。また、網棚３１は板状棚３０に対して前後方向にスライド自在とするために、後棚３２及び前棚３３の網棚支持溝３４の横幅は縦線材３５の直径よりも若干大きく形成される。また、縦線材３５の前後方向スライドの障害にならないように、後棚３２の網棚支持溝３４と前棚３３の網棚支持溝３４の左右及び上下方向の食い違いがないことが望ましく、そのために後棚３２の網棚支持溝３４と前棚３３の網棚支持溝３４は、前後方向に略同一レベルに形成されることが望ましい。
【００２０】
このような構成において、板状棚３０は、食品を載置する通常状態では、図３及び図４に示すように、後棚３２と前棚３３は当接状態であり、後棚３２と前棚３３の網棚支持溝３４は連続した網棚支持溝３４を形成している。そして、網棚３１は、その横線材３６が前棚３３の前端に当接する状態で板状棚３０に組み合わされ、縦線材３５は後棚３２と前棚３３の上面に突出しない状態で網棚支持溝３４に収納されている。このため、板状棚３０上の食品は、後棚３２と前棚３３上に安定状態に載置される。
【００２１】
この食品載置状態において、食品は板状棚３０に支えられているため、この食品を他の棚装置８へ移動せずとも網棚３１は板状棚３０から前方へスライドにて取り外し可能であり、網棚３１の洗浄がし易くなっている。また、前記食品載置状態において、前棚３３に載置された食品を網棚３１で支えるように前棚３３の前端を若干持ち上げた状態で、前棚３３はレール部３７上を前方へスライドさせて引き出すことができる。この前棚３３の引き出し後に、網棚３１の前端を下げて横線材３６の左右端部をレール部３７に載置すれば、前棚３３に載置されていた食品はそのまま網棚３１に載置されて冷蔵室５に保存できる。このため、前棚３３に載置された食品を他の棚装置８へ移動させることもなく、また他の棚装置８が食品でいっぱいの場合にも前棚３３に載置されていた食品を冷蔵室５の外へ一旦持ち出す必要もなく、洗浄等のために前棚３３を取外すことが可能となる。
【００２２】
レール部３７の前寄り部分に窪み３８を形成し、この窪み３８に嵌る突起部３９を前棚３３の下面左右部分に形成することによって、前棚３３が冷蔵室５内で正規の位置を保持することができる。この場合、上記のように前棚３３を前方へ引き出す場合には、突起部３９が窪み３８から脱する高さまで前棚３３の前端部を持ち上げた状態で前棚３３を前方へ引き出すことによって、突起部３９と前棚３３の後端部がレール部３７上をスライドして前棚３３を前方へ引き出すことができる。
【００２３】
網棚支持溝３４相互間の前棚３３の前端部に、上方へ若干延びた突起部４０を形成することによって、前棚３３に載置した食品が前方へ落下するのを防止することができる。また、図５には、網棚３１の縦線材３５の前端を立ち上げてこの部分に横線材３６を溶接等にて固定した形態を示している。この立ち上げによって前棚３３に載置した食品や網棚３１に載置した食品が前方へ落下するのを防止できる。なお、図５の形態において、上記のように、前棚３３を取外した状態で網棚３１を元に戻すように下方へ下げたとき、網棚３１を水平状態に保つためには、横線材３６の左右端部を下方へ屈曲させてその部分をレール部３７に載置させる構成とすればよい。
【００２４】
上記のように、後棚３２をレール部３７に取り外し可能に載置した場合は、後棚３２の洗浄もし易くなる。後棚３２は、網棚３１の縦線材３５の後端部を支えるために設けられるため、食品の載置は主として前棚３３が担うようにすれば、後棚３２は、その奥行き幅を図のように又はそれよりも更に狭く形成することができる。この場合、食品から出る汁による汚れは殆んど前棚３３で受けることができ、前棚３３と網棚３１の洗浄で済むこととなり、洗浄も簡単になる。
【００２５】
本発明は、上記冷蔵室の棚装置に限らず冷凍室などに棚を設ける場合にも適用できる。このため、冷蔵庫の他に冷凍庫、温蔵庫、恒温庫等種々の貯蔵庫に適用できるものであり、本発明の技術的範囲を逸脱しない限り種々の変更が考えられ、それに係る種々の実施形態を包含するものである。
【００２６】
【発明の効果】
本発明によって、前棚に食品が載置されないように網棚で食品を載置した状態において、前棚に載置された食品を他の棚へ移動させることもなく、また他の棚が食品でいっぱいの場合にも前棚に載置された食品を冷蔵庫の外へ一旦持ち出す必要もなく、洗浄等のために前棚を取外すことが可能となる。
【００２７】
また、請求項２に発明によって、食品は網棚に載置するのではなく板状棚に載置した状態とすることができ、食品の安定載置が可能となる。また網棚は板状棚に対して前方へスライドにて取外すことができるため、板状棚に載置した食品を他の棚へ移動させることなく網棚の洗浄も簡単に行える。
【００２８】
また、請求項３に発明によって、前棚に食品が載置されないように網棚の前端部を持ち上げて食品荷重を網棚で支えた載置状態とし、前棚はレール部上をスライドして前方へ引き出せるため、取り外し時に前棚が落下しない状態で安定的に作業が行える。
【図面の簡単な説明】
【図１】本発明に係る冷蔵庫の縦断側面図である。
【図２】本発明の棚装置の分解斜視図である。
【図３】本発明の棚装置の使用状態を示す斜視図である。
【図４】図３のＡ−Ａ断面図である。
【図５】本発明の棚装置の他の実施形態図である。
【符号の説明】
１・・・貯蔵庫（冷蔵庫）
２・・・貯蔵庫本体（冷蔵庫本体）
５・・・貯蔵室（冷蔵室）
８・・・棚装置
３０・・・板状棚
３１・・・網棚
３２・・・後棚
３３・・・前棚
３４・・・網棚支持溝
３５・・・縦線材
３６・・・横線材
３７・・・レール部
【図１】
2004211952.tif 000003
【図２】
2004211952.tif 000004
【図３】
2004211952.tif 000005
【図４】
2004211952.tif 000006
【図５】
2004211952.tif 000007